(57)【要約】【課題】  天災・人災に対する安全性、危険回避性を改善した、建造コスト有利な建造物の提供。【解決手段】  木造住宅１の各居住部屋Ｒを構築する建物躯体１１の中央部分を中空柱構造２０で構築する。中空柱構造２０は耐震耐熱の側壁２１で構成され、内部に大人一人が自力で昇降できる通路２２と、安全に昇降するための梯子２４が形成され、側壁２１に人が出入できる出入口２３ａ、扉付出入口２３ｂが形成される。中空柱構造２０で木造住宅１を補強して大きな耐震強度を確保し、火災などの非常時に居住者が中空柱構造２０の通路２２に逃げ込み、建物外へと避難できるようにし、かつ、建物外から通路２２を通って居住者を救助できるようにする。側壁２１を中空二重壁の鋼板製にして、内部に水などの液状流体２１ｄを溜める。【選択図】図１
2004300910.tif 000002
【特許請求の範囲】
【請求項１】
人が昇降できる通路を内部に有し、前記通路の複数箇所に人が外部と出入できる出入口を形成した耐熱構造の中空柱構造を、建物躯体の内部に固定配備したことを特徴とする建造物。
【請求項２】
前記出入口が、建物躯体内の居住部屋に通じる扉付出入口を含むことを特徴とする請求項１記載の建造物。
【請求項３】
前記出入口が、中空柱構造の上端開口を含み、この上端開口に蓋を配設したことを特徴とする請求項１又は２記載の建造物。
【請求項４】
前記中空柱構造の側壁内面に梯子を配設したことを特徴とする請求項１〜３のいずれか１記載の建造物。
【請求項５】
前記中空柱構造が鉄筋コンクリート製の耐震構造物で、この中空柱構造の下端部を建物躯体の基礎に固定したことを特徴とする請求項１〜４のいずれか１記載の建造物。
【請求項６】
前記中空柱構造が、内鋼板と外鋼板を所定の間隔で対峙させた中空二重壁構造の側壁を有する耐震構造物で、この中空柱構造の下端部を建物躯体の基礎に固定したことを特徴とする請求項１〜４のいずれか１記載の建造物。
【請求項７】
前記中空二重壁構造の側壁の前記内鋼板と外鋼板の間の空間に液状流体を出し入れ可能に溜めることを特徴とする請求項６記載の建造物。
【請求項８】
前記基礎に固定される中空柱構造の下端部に、建物躯体の床下空間に通じる出入口を設けたことを特徴とする請求項５〜７のいずれか１記載の建造物。
【請求項９】
前記中空柱構造に、建物躯体の床下空間と建物躯体の居住部屋との間で通気させる開閉式換気口を形成したことを特徴とする請求項８記載の建造物。
【請求項１０】
前記中空柱構造下端部の出入口に網戸式扉を設置したことを特徴とする請求項８又は９記載の建造物。
【請求項１１】
前記中空柱構造を、建物躯体の連続する複数階に貫通させたことを特徴とする請求項５〜１０のいずれか１記載の建造物。
【請求項１２】
木造住宅であることを特徴とする請求項１〜１１のいずれか１記載の建造物。
【発明の詳細な説明】
【技術分野】
【０００１】
本発明は、天災や人災に対する安全策を施した建造物に関する。
【背景技術】
【０００２】
地震による木造住宅などの建造物の破損、倒壊や、不法侵入者による居住者被害は、居住者のみならず地域社会にとって危険であり、大きな損失となることから、様々な建造物の耐震構造が提案されており、不法侵入を予知して防止する防犯システムが構築されている。
【０００３】
また、建造物の耐震構造は、建物躯体の全体を鉄骨組したり、免震構造にすることが一般的であるが、建造費が高くなる。そこで、建造物内の一部の居住部屋だけの床、壁、天井を鉄骨組で構築して耐震構造部屋にし、この耐震構造部屋で他の部屋を補強した耐震構造の建造物が提案されている（例えば、特許文献１参照）。
【特許文献１】特開平１１−３０３４１４号公報（図１）
【発明の開示】
【発明が解決しようとする課題】
【０００４】
上記建造物によれば、地震が発生しても耐震構造部屋が倒壊せず、この耐震構造部屋が他の部屋の倒壊を抑える、また、他の部屋の居住者が耐震構造部屋に逃げ込めば安全である。しかし、耐震構造部屋が倒壊しない保証がなく、かつ、火災に対してほとんど無策にならざるを得ないことから安全性に問題があり、むしろ、火災が発生すると耐震構造部屋ゆえに逃げることが難しくなり、外部からの救助が難しくなるといった二次災害的な懸念がある。また、特別な耐震構造部屋の建造費が高くなり、これが建造物全体の建造費を高くする。
【０００５】
建造物の防犯システムは、監視カメラや人検知センサー、警報器などの電子応用機器を利用したものがほとんどであるが、これら防犯システムは衆知されると、防犯システムを破り、又は、盲点を突いて不法侵入者が侵入することは、避け難い事実である。不法侵入者が侵入した場合や、火災が発生したような場合、居住者は建造物から逃げ出ることが最も安全なことであるが、不法侵入者の侵入箇所や火災発生箇所によっては逃げることが難しくなり、被害を受けることがある。特に火災発生時においては、階段が煙の通路となって階段を使って逃げることができず、階段に充満する煙で被害を受けることが多い。
【０００６】
本発明の目的とするところは、天災及び人災に対する安全性を考慮した、かつ、建造費又は改築費が安くできる実用価値の高い建造物を提供することにある。
【課題を解決するための手段】
【０００７】
本発明は上記目的を達成するため、人が昇降できる通路２２を内部に有し、通路２２の複数箇所に人が外部と出入できる出入口２３を形成した耐熱構造の中空柱構造２０を、建物躯体１１の内部に固定配備したことを特徴とする。
【０００８】
ここで、中空柱構造２０の通路２２は、大人一人が自力で昇降できる程度のもので、それ以上の大きさの通路は中空柱構造２０の外寸を無駄に大きくするだけで不適当である。このような中空柱構造２０は、１ｍ×１ｍ程度の外寸の正方形の筒形状、この正方形筒形状と同程度の外寸の長方形筒形状、六角形状、或いは、円筒形状や楕円形状が可能である。中空柱構造２０の側壁２１は、建物躯体１１の柱となり得るだけの強度を具えたもので、鉄筋コンクリート壁かスチール板（鋼板）に断熱ボードを貼り合せた複合壁、中空二重壁が望ましい。中空柱構造２０の側壁２１に大人一人が出入できる出入口２３を形成し、また、中空柱構造２０の上端開口や下端開口も出入口として利用することができる。この種の中空柱構造２０は、適用する建造物の耐震強度を上げる補強柱としての用途、火災などの非常時から居住者を保護し救助するための用途、内部通路２２の一部に貴重品類を保管する用途、内部通路２２に水道管や電気配線を配備する用途など、多様な用途が可能である。中空柱構造２０の用途に応じて、中空柱構造２０の構成材料、外寸、全長（長さ）、内部構造が設計される。中空柱構造２０は、建物躯体１１の建造時に建物躯体一部として施工され、或いは、工場生産された中空柱構造物が建造途中の建物基礎、建物躯体に組込まれ、又は、工場生産された中空柱構造物が既存建造物の改築時に組込まれる。
【０００９】
本発明においては、中空柱構造２０の出入口２３は、建物躯体内の居住部屋に通じる箇所に形成された扉付出入口を含むことができる。この扉付出入口の扉は、居住部屋側からだけロックでき、開閉できるものが保安上に望ましい。扉は、前後開閉式や上下開閉式扉が適用できる。非常時に居住者が扉を開いて中空柱構造内の通路２２に避難し、又は、平常時に扉を開いて通路２２の一部に貴重品、非常食などを格納する。このような中空柱構造内の通路２２には、照明器具を配置して通路２２の使用を便利にすることが望ましい。
【００１０】
また、中空柱構造２０の上端開口を出入口とした場合、中空柱構造の側壁２１の扉付出入口の扉と同様にして上端開口に蓋３０を配設する。蓋３０は、中空柱構造２０の上端開口に連接されたもの、中空柱構造２０の上端開口の近くに付設されたものが適用できる。この蓋３０は、非常時に通路２２側から居住者によって開かれ、或いは、緊急時には外部からの救助者によって破壊などして開かれる。
【００１１】
また、中空柱構造２０の側壁内面に人が自力で昇降できる梯子２４を配設することが望ましい。この梯子２４は、中空柱構造２０の内壁面に固定した避難梯子が好適であるが、中空柱構造内に吊り下げた縄梯子、木造やアルミニウム製の軽量梯子が適用できる。必要時に居住者が中空柱構造２０の出入口から通路２２に入り、梯子２４を使って通路２２を上り、或いは、通路２２を下って避難などする。又は、非常時に居住者が中空柱構造内の梯子２４に捕まって非常事態が解除されるまで待機する。
【００１２】
また、本発明においては、中空柱構造２０が鉄筋コンクリート製の耐震構造物で、この中空柱構造２０の下端部を建物躯体１１の基礎１０に固定したことを特徴とする。鉄筋コンクリート製中空柱構造２０は、耐震強度の高い重量物であり、これを基礎１０に固定することで、地震発生時に基礎１０と一体に動き、基礎上に構築された建物躯体１１を補強して倒壊を防ぐ。基礎１０は布基礎、独立基礎、べた基礎、杭基礎のいずれも可能であり、中空柱構造２０の下端部を強固に固定する。杭基礎の場合は、基礎と杭の両方に中空柱構造２０の下端部を固定することで、基礎１０と中空柱構造２０のより強固な固定一体化ができる。
【００１３】
また、本発明においては、中空柱構造２０の側壁２１を、内鋼板と外鋼板を所定の間隔で対峙させた中空二重壁構造とすることができる。この鋼板製の中空柱構造２０も下端部を建物躯体１１の基礎１０に固定する。このような鋼板製の中空柱構造２０は、外鋼板の外面に耐熱ボードなどの断熱材を装着することが実用上に望ましい。また、中空二重壁構造の側壁２１の内部空間に水や消化剤などの液状流体を出し入れ可能に溜めることができる。液状流体の例えば水は、雨水や水道水であり、側壁内に水を満杯に溜めることで側壁２１の断熱性能が増し、鋼板製の中空柱構造２０の重量が増して耐震強度が増大し、さらに、火災発生時においては側壁内部の水を使うことで速やかな消火活動ができる。この消火活動は、特に建造物の二階以上の部屋において、出火の際の初期消火に効果的である。
また、液状流体を消化剤入り液体にすれば、火災発生時の消火活動がより効果的に行えるようになる。また、中空二重壁構造の側壁２１の内部空間を複数に仕切って、仕切られた複数の空間に異なる種類の液状流体を収容させることもできる。
【００１４】
また、建物躯体１１の基礎１０に中空柱構造２０を固定した場合、中空柱構造２０の下端部に建物躯体１１の床下空間ｎに通じる出入口２３ａを設けることが望ましい。この中空柱構造下端部の出入口２３ａは、中空柱構造内の通路２２を下った居住者が建物躯体１１の床下に退避する退避口として利用でき、又は、非常時に救助者が建造物外部から床下を通って出入口２３ａから中空柱構造内に入る救助口として利用できる。さらには、平常時に中空柱構造下端部の出入口２３ａを利用して床下点検したり、床下に物を格納することができる。
【００１５】
また、中空柱構造下端部の出入口２３ａは、床下の新鮮な空気を各階の部屋に送り込む換気口として利用することができる。この場合、中空柱構造２０に、建物躯体１１の床下空間ｎと建物躯体１１の居住部屋との間で換気させる開閉式換気口を形成することが望ましい。開閉式換気口は、中空柱構造２０の側壁２１や、側壁２１の扉付出入口の扉に形成すればよく、換気が必要なときだけ換気口を開いて床下と換気する。このような換気は、中空柱構造２０が鉛直な筒柱ゆえに効率よく自然換気で行うことができ、また、電動小型換気扇（一方向からしか流れないダンパー付）を取付けて強制換気することや、床下空間ｎの空気（木造住宅内では最も清浄な空気）をマイナスイオン発生器のようなもので活性化して建造物内の空気環境を積極的に改善することができる。
【００１６】
このような中空柱構造下端部の出入口２３ａには防虫ネットで通気性を持たせた網戸式扉２５ａを取付けることが望ましい。この網戸式扉２５ａは手動で簡単に開閉でき、出入口２３ａを塞ぐと床下からの虫の侵入を防ぐ。さらに、網戸式扉２５ａは中空柱構造下端部の中に外の光を取り入れる明り取りとしても役立つ。
【００１７】
以上のような中空柱構造２０は、木造住宅に使用することで耐震性などの機能が、鉄筋住宅やコンクリート住宅よりも効果的に発揮できる。木造住宅は２〜３階建までであり、２階建の木造住宅においては、床下から二階床構造物を貫通する長さ、高さの中空柱構造２０を施工するとより効果的である。
【発明の効果】
【００１８】
本発明によれば、人が昇降できる通路を有する中空柱構造を建物躯体の柱構造物として構築することで、建造物内の中空柱構造が建造物の耐震強度を上げる補強柱として機能して、地震発生時の建造物の倒壊を抑制し、二次災害を抑制すると共に、水害時においては住宅の流出防止にも効果を発揮する。また、中空柱構造は、火災などの非常時に居住者が避難する場所として利用でき、かつ、居住者を救助する手段として利用できるため、非常時に居住者は慌てることなく安全なところに避難したり、安全なところで救助を待つことができて、居住者にとって安全で安心な建造物が提供できる。さらに、中空柱構造は、建物躯体の柱構造として構築できるので、建造物設計の段階で既存の管柱や筋交いなどの建材を低減させることができる。
【００１９】
また、中空柱構造の下端部に建物の床下に通じる出入口を設けることで、建物の床下空間が人の退避空間、救助空間として利用でき、また、中空柱構造の側壁に換気口を設けて床下空間との間で換気可能とすることで、建造物の各居住部屋を快適に自然換気、強制換気することが容易になり、長期留守にしても建造物の保全がなされる効果がある。また、床下空間との換気で、床下の結露、シロアリ発生が抑制できて、尚一層に建造物の長期保全ができる効果がある。
【発明を実施するための最良の形態】
【００２０】
以下、各種の実施の形態を図１乃至図１６を参照して説明する。尚、全図を通じて同一部分、又は、相当部分には同一符号を付して、説明の重複を避ける。
【００２１】
図１（Ａ）、（Ｂ）に示される実施の形態の建造物１は、二階建の木造住宅で、地面２に施工した基礎１０上に構築される。建造物１（以下、必要に応じて木造住宅１と称する）の一階部分Ｆ１の見取図を図２（Ａ）に、二階部分Ｆ２の見取図を図２（Ｂ）に示す。一階部分Ｆ１は、例えば玄関Ｒ１、居間と食堂を兼ねた居住部屋Ｒ２、台所Ｒ３、和室Ｒ４、洗面所Ｒ５、浴室Ｒ６、トイレＲ７、階段Ｒ８などの居住部屋Ｒがある。二階部分Ｆ２は、２つの洋間や寝室などの居住部屋Ｒがある。これら居住部屋Ｒの数や配置、種類は任意で、本発明は、木造住宅１の各居住部屋Ｒを構築する建物躯体１１の一部を、次の中空柱構造２０で構築したことを特徴とする。
【００２２】
中空柱構造２０は、鉄筋コンクリート製の耐震耐熱中空柱で、建物躯体１１のほぼ中央部に構築する。中空柱構造２０は、図４に示すような略正方形の筒体で、４辺に鉄筋コンクリート製の側壁２１を有し、４辺の側壁２１で囲まれた空間で大人一人が昇降できる通路２２を形成する。４辺の各側壁２１の幅を９０〜１００ｃｍ程度にし、厚さを５〜１５ｃｍ程度にすることで、大人一人が自力で楽に昇降できる通路２２が形成される。１辺の側壁２１の内面に人昇降用梯子２４が突設される。梯子２４は通路２２を狭めない程度のコ字状枠梯子で、両端部が側壁２１に埋設固定される。また、梯子２４は、木製やアルミニウム製の既存の軽量梯子であってもよい。このような梯子２４には、布を巻回するなどして、火災時などで高温になっても手で掴めるようにしておくことが望ましい。
【００２３】
中空柱構造２０は、図１に示すように建物躯体１１の基礎１０から二階の床構造物１２に達する高さを有する。中空柱構造２０の基礎１０に固定される下端部と、一階の居住部屋Ｒに通じる高さの途中箇所と、上端部に大人一人が出入できる出入口２３ａ、２３ｂ、２３ｃが形成される。下端部の出入口２３ａは１辺の側壁２１の下端部を切り欠いた形状の門形開口で、建物躯体１１の床下空間ｎに通じる。途中箇所の出入口２３ｂは扉２５で閉塞された扉付開口であり、扉２５は居住部屋Ｒ側からだけロックでき、手動で簡単にロック解除して外側に開くことができる。この扉２５には、シャッター付換気口２６が設けてある。換気口２６のシャッター（図示せず）は、居住部屋Ｒ側から手動で開閉できるもの、又は、一方向のみのダンパー付換気扇などが適用される。
【００２４】
建物躯体１１での中空柱構造２０の構築位置は、図２（Ａ）に示すように、一階部分Ｆ１における和室Ｒ４の押入れ内に設定してある。通常の一般住宅における押入れの柱間隔が９０〜１００ｃｍであることから、押入れに中空柱構造２０は無駄なスペースを作ることなく構築できる。基礎１０への中空柱構造２０の構築は、次の三通りが可能である。
【００２５】
［現場構築の場合］建物躯体１１を現場で構築する際に、中空柱構造２０を構築する。現場で鉄筋コンクリートを使って基礎工事をするときに、同時進行的に中空柱構造２０の側壁２１を基礎１０と一体にして構築する（図６及び図７参照）。この場合、側壁２１と基礎１０を共通の鉄筋で連結するなどして、中空柱構造２０の下端部と基礎１０を強固に緊結することができる。
【００２６】
［工場構築の場合］建物躯体１１とは別に中空柱構造２０を工場で製造して、製造された中空柱構造２０を現場に運び、図５に示すように中空柱構造２０をクレーン車などのワイヤー２７で吊り下げて、基礎１０の所定の箇所に置き、その箇所にモルタルやボルトなどで固定する。この場合、基礎１０に中空柱構造２０の下端部を囲うような取付専用基礎１０’を予め構築しておくことが望ましい。中空柱構造２０と基礎１０を別々に構築してから組み合わせることで、中空柱構造２０と基礎１０の双方の構築が容易になり、特に、中空柱構造２０は工場で量産することで構築費の低減ができる。中空柱構造２０においては、図４に示すように所定の箇所にアンカーボルト２８を突設しておいて、このアンカーボルト２８を利用して建物躯体１１に連結することが、構築工事を簡便にする上で望ましい。
【００２７】
［既存建造物に構築する場合］既存建造物の改築で中空柱構造２０を構築する場合は、既存建造物の屋根、床に中空柱構造挿入用穴を形成して、この穴から工場生産された中空柱構造２０をクレーン車を使って挿入し、基礎に固定する。そして、床、屋根の穴を塞ぐ復元工事を行う。
【００２８】
基礎１０に中空柱構造２０を固定した後、中空柱構造２０の上端部を二階の床構造物１２にボルト、ナットなどで強固に緊結する。また、図３に示すように、中空柱構造２０の外面に突設したアンカーボルトを利用して柱部材２９をナット止めで緊結し、中空柱構造２０の上端開口の出入口２３ｃに開閉式蓋３０を取付ける。図３の場合、蓋３０は二階の床構造物１２にヒンジ３１を介し連結している。床構造物１２は、梁や床ボードなどで構成され、その内の強度的に安定した梁部分に中空柱構造２０の上端部を緊結する。このように構築される中空柱構造２０は、二階の床構造物１２を支持して床構造物１２の構築作業を安全で、かつ、容易なものにする。
【００２９】
木造住宅１の一階部分Ｆ１に設置した四角筒状の中空柱構造２０は、和室Ｒ４の押入れにあるため、居住者の生活の邪魔にならず、部屋の美観を損なうこともない。また、中空柱構造２０が木造住宅１の押入れの柱の代わりになり、従来必要としていた押入れの４本の管柱が省略できる。さらに、中空柱構造２０は木造住宅１の柱と共に、壁の一部を構成することにもなって壁倍率を上げ、これにより壁構築に使用していた筋交いの本数を少なくすることができる。
【００３０】
図１の木造住宅１は、建物躯体１１のほぼ中央部に基礎１０から二階床構造物１２に達する中空柱構造２０が、木造住宅全体を補強して耐震強度を上げる。地震の種類、規模にもよるが、地震が発生すると地面と共に基礎１０とこれと一体の中空柱構造２０が同方向に揺れ、基礎１０と中空柱構造２０が一階部分Ｆ１の多くを同方向に揺らし、二階部分Ｆ２が逆方向に揺れることになり、結果的に二階建て木造住宅１の揺れは一階建て平屋の揺れ程度とほぼ半減する（この半減の揺れは二階部分Ｆ２の揺れに相当する）。また、仮に木造住宅１が地震で倒壊限界近くまで揺れたとしても、堅牢な中空柱構造２０が木造住宅１を補強し、倒壊しない中空柱構造２０が木造住宅全体の倒壊を抑制する。
【００３１】
中空柱構造２０は木造住宅１の耐震強度を上げる機能の他、後述する非常時における居住者の退避や救助の機能、平常時における物品格納の機能、平常時や長期留守時における換気による住環境改善機能を有する。また、中空柱構造２０は、経年劣化による住宅の傾き防止や、家具類の狂いを防止する機能を具える。
【００３２】
図８は、地震や火災発生時、不法侵入者の侵入時などにおける退避を説明するための概要図である。例えば、火災が発生した場合、二階部分Ｆ２の居住者が中空柱構造２０の上端の蓋３０を開き、通路２２に入り、梯子２４を伝って降り、下端の出入口２３ａから床下空間ｎを通って建物外に避難する。火災で一階部分Ｆ１や二階部分Ｆ２に煙が発生しても、床下空間ｎまで煙が入ることがなく、中空柱構造２０の通路２２は床下空間ｎからの新鮮な空気で保たれているので、居住者は安全に避難することができる。また、中空柱構造２０は耐熱かつ断熱構造物であるので、火災発生から短時間の間は通路２２の温度上昇がなくて、この間に退避すれば安全である。図８は二階からの退避例を示しているが、一階部分Ｆ１の居住者は、図３に示す扉付出入口２３ｂの扉２５を開いて床下空間ｎに避難することができる。
【００３３】
木造住宅１の床下空間ｎを居住者の退避場所とする場合、図６に示すように基礎１０の一部に扉付出入口１５を設けておく。この出入口１５は中空柱構造２０の下端の出入口２３ａに通じ、出入口２３ａを出た居住者は床下空間ｎを通って出入口１５から建物外に避難する。基礎１０の扉付出入口１５の扉１６は、床下空間ｎの中側からだけロック解除できるようにしてあり、平常時に不法侵入者が侵入できないようにしてある。また、火災発生時において、消防員などによる居住者救助が必要とした場合には、救助者が扉１６を破壊して床下空間ｎに入ることができるようにしてある。この救助者は、床下空間ｎから中空柱構造２０内に入り、一階の扉付出入口２３ａの扉２５が開かない場合は居住者に開くよう合図をして救助に向かい、同様にして二階の居住者への救助に向かう。扉２５を開くよう合図をしても応答が無い場合を想定して、扉２５などにはハンマーなどで破壊できる程度の施錠をしておくか、扉２５自体がハンマーなどで破壊できる木製品や鋳物製品で構成しておくことが望ましい。
【００３４】
中空柱構造２０を、不法侵入者が侵入してきたときの退避場所として利用する場合、居住者は扉２５又は蓋３０を開けて通路２２内に入り、梯子２４に捕まって待機する、又は、床下空間ｎから建物外に出る。このような不法侵入者に対する退避は、中空柱構造２０が押入れの中にあって不法侵入者に見付かりにくいために安心して行える。また、退避場所が不法侵入者に見付かったとしても、扉２５又は蓋３０に通路２２の中から手動で施錠できるようにしておけば安心であり、建物外に出ておけば問題ない。
【００３５】
また、中空柱構造２０は、貴重品や非常食などの格納に利用することができる。角筒状の中空柱構造２０の通路２２は大人一人が昇降できる大きさであればよく、正方形断面の通路２２の隅は空スペースとして存在することから、この隅の空スペースに物品保管箱を設置して、貴重品などを保管することができる。このような保管は、中空柱構造２０が耐震耐熱構造ゆえに金庫に保管するのと同程度な安全度で保管でき、かつ、中空柱構造２０自体が人目に付かず、この中での保管は金庫以上に安心できる。また、中空柱構造２０の下端部の出入口２３ａを利用すれば、床下空間ｎを物品格納場所とすることも可能である。この場合、床下空間ｎの上記非常時の人退避スペース、救助スペースを空けておくことは当然である。
【００３６】
図９は、中空柱構造２０を換気塔として利用している。中空柱構造２０の側壁２１に部分的に複数のシャッター付換気口３３を設け、また、上端開口を塞ぐ蓋３０にもシャッター付換気口３４を形成して、これら換気口のシャッターを開く。すると、床下空間ｎと各居住部屋Ｒとが通路２２、側壁２１の換気口を介して通気可能な状態となり、床下空間ｎの空気と居住部屋Ｒの空気の換気が行われて、天然の調湿、自然換気による快適な居住空間が構築される。このようなパッシブ構造の換気で、夏場は冷房費が節約でき、冬場は結露が防止でき、特に、長期に亘り留守にするような場合に住宅が効果的に保全され、住宅の長寿命化が可能となる。
【００３７】
上記換気は、中空柱構造２０に換気ファンを取付けて行うようにすれば、尚一層効果的に行なえる。例えば、図１３（Ａ）に示すように、蓋３０に換気ファン３５を取付けて、換気するときに換気ファン３５を駆動させて通路２２の空気を吸引して通路外へと流し、通路２２内に強制的に空気流を作ると、換気が連続して強制的に行われる。蓋３０の換気ファン３５は、蓋３０を開くと通路２２での人の通行を邪魔しないので問題ない。或いは、図１３（Ｂ）に示すように、中空柱構造２０の側壁２１の内面一部に換気穴３６を形成して、換気穴３６に換気ファン３５を収納させるようにしてもよい。この場合も換気ファン３５が通路２２に無いので、人の通行の邪魔をしない。
【００３８】
図１０は、中空柱構造２０の高さを木造住宅１の屋根部分Ｆ３まで延長させたものである。中空柱構造２０を基礎１０から一階部分Ｆ１と二階部分Ｆ２を貫通させ、さらに、屋根部分Ｆ３を貫通させて、上端開口に蓋４１を開閉可能に取付ける。蓋４１は、中空柱構造２０の上端開口を塞ぐ天窓であり、図示しないシャッター付換気口を有する。天窓の蓋４１は、昼間において中空柱構造２０の通路２２に外光を取り入れて明るくする。また、中空柱構造２０は、木造住宅１全体を補強して、木造住宅１の耐震強度を高く確保する。また、非常時において、居住者は床下空間ｎに逃げること以外に、通路２２を真上まで上がって蓋４１を開き、屋根上に避難することもできる。水害時においては通路２２の上端開口が屋根上への脱出口となる。火災時の救助の場合は、消防員などが蓋４１を破壊して通路２２を下ることもできて、救助が上と下から同時にできる。なお、通路２２には図示しない電気照明灯を配備して、非常時に通路２２を明るくして人の避難などに役立てることができる。
【００３９】
図１１は、木造住宅１の２箇所に中空柱構造２０、２０’を構築した場合を示す。木造住宅は大小様々であり、敷地の大きな木造住宅にはその大きさに応じた数の中空柱構造を構築すればよく、図１１には木造住宅１の屋根の低い部分に二階の床に達する中空柱構造２０を構築し、屋根の高い部分に二階の天井に達する中空柱構造２０’を構築している。一対の中空柱構造２０、２０’は、共通の木造住宅１を補強し合い、両者の補強による相乗効果で木造住宅１の耐震強度が増大する。また、一対の中空柱構造２０、２０’は、居住者の退避場所数を２倍、３倍と増大させる。
【００４０】
図１０の中空柱構造２０や図１１の一方の中空柱構造２０’のように、高さ（全長）の大きなものは、その全体又は一部を軽量な複合壁構造とすることができる。この複合壁構造とは、例えばスチール板の内面に耐熱ボードを貼り合せて緊結した壁で、鉄筋コンクリート壁より軽くできる。
【００４１】
図１２に複合壁構造の中空柱構造２０を使用した建造物１を示す。この建造物１は、５階建の中層ビルで、杭基礎１０の真上に中空柱構造２０を構築し、中空柱構造２０の上端をビル屋上まで突出させて、突出先端部に水タンクなどの重量物４２を固定している。中空柱構造２０には、各階の部屋から出入できる扉付出入口が形成される。重量物４２は、高さ（全長）の大きな中空柱構造２０の地震による振れを安定したものにして、中空柱構造２０と建造物１の耐震性を安定させる。なお、このような高さの大きな中空柱構造２０内の通路には、各階の間に人手で簡単に外すことのできる落下防止用安全ネットを設置することが望ましい。また、中空柱構造２０の下端部は、杭基礎１０の杭１０’にも緊結して、基礎との連結強度を高くすることが望ましい。
【００４２】
図１２のような中層ビルの建造物１が病院、マンションのような公共住宅のような場合、各階毎に独立した中空柱構造２０を構築するようにして、各階毎の退避場所、救助場所とすることも可能である。
【００４３】
以上の中空柱構造２０は側壁２１が、中身の詰まった一重壁構造であるが、図１４〜図１６に示すような中空二重壁構造の側壁２１も有効である。図１４の中空柱構造２０は鋼板製で、下端部が建物躯体１１の基礎１０に固定され、上端部が二階の床構造物１２を貫通して少し突出する。側壁２１は、内鋼板２１ａと外鋼板２１ｂを所定の間隔で対峙させて中空にしてある。外鋼板２１ｂの外面には、必要に応じて断熱材２１ｃが装着される。鋼板製の中空柱構造２０は工場生産されて現場に運ばれ、クレーン車などで施工される。
【００４４】
鋼板製の中空柱構造２０は鉄筋コンクリート製品より軽量であり、工場で大量生産することで低コストで生産できる。また、中空の側壁２１の内部空間に液状流体、例えば水２１ｄを溜めることができる。そのため、側壁自体をタンク構造に仕上げ、上端部に給水管５１をバルブ５２を介して配管し、下端部に排水管５３をバルブ５４を介して配管する。給水管５１は上水道に配管してもよいが、図１４に示すように屋根Ｆ３の樋などに連接して雨水を側壁２１内に取り入れるようにする。
【００４５】
鋼板製中空柱構造２０は軽量で現場への運搬と、現場での構築作業が容易である。構築後、中空柱構造２０の中空側壁２１内に水２１ｄを満杯まで入れると、中空柱構造２０が重量物となって耐震強度と木造住宅の補強強度が増し、水２１ｄで断熱性能が増大する。また、水２１ｄは、火災発生時に消火水として利用することができる。側壁２１内に水２１ｄを常時満杯させておくことで、即座に消火水として散水でき、火災発生直後の初期消火に役立つ。また、水２１ｄは、二階のベランダの植物に散水する水としても便利に利用できる。
【００４６】
水を溜める機能を持つ中空二重壁構造の側壁２１は、図１５に示すように内鋼板２１ａと外鋼板２１ｂを多数の補強棒５５で連結した構造が望ましい。図１５においては、側壁２１の内面側に設ける梯子２４を直線状にし、両端部を内鋼板２１ａを貫通させて先端を外鋼板２１ｂの内面に溶接するようにすることで、梯子２４の両端部を補強棒として利用している。
【００４７】
また、図１６に示すように、中空柱構造２０の下端部の出入口２３ａに、網戸式扉２５ａを設置する。この扉２５ａは、矩形の枠２５ｂの中に防虫網２５ｃを張設したもので、出入口２３ａに片開き式に取付けられる。網戸式扉２５ａは軽量で手動で簡単に開閉でき、常時は出入口２３ａを塞ぐよう閉じられている。出入口２３ａが扉２５ａで塞がれても、防虫網２５ｃを介して換気がスムーズに行われて、中空柱構造２０の換気塔としての機能を損なわない。また、防虫網２５ｃが床下空間ｎから中空柱構造２０内に虫が侵入するのを防止する。さらに、床下空間ｎは暗いのが通常であるが、明り取りを設けた床下空間ｎにおいては防虫網２５ｃが中空柱構造下端部に外光を取り入れる明り取りとなる。
【００４８】
尚、本発明は、上記した実施の形態に限定されるものではなく、本発明の要旨を逸脱しない範囲内において種々変更を加え得ることは勿論である。
【図面の簡単な説明】
【００４９】
【図１】（Ａ）は本発明に係る建造物（木造住宅）の実施の形態を示す正面図、（Ｂ）は建造物の要部の概要を示す正面図である。
【図２】（Ａ）は図１の建造物の一階部分の見取図、（Ｂ）は二階部分の見取図である。
【図３】図１の建造物の中空柱構造の部分断面を含む拡大正面図である。
【図４】図３の中空柱構造の構築前の斜視図である。
【図５】図１の建造物の基礎と中空柱構造の構築時の斜視図である。
【図６】図５の基礎の平面図である。
【図７】図６の基礎の側面図である。
【図８】中空柱構造の使用例を示すための断面図である。
【図９】中空柱構造の他の使用例を示すための断面図である。
【図１０】中空柱構造の他の使用例を示すための断面図である。
【図１１】他の実施の形態を示す建造物の要部の正面図である。
【図１２】他の実施の形態を示す建造物の部分断面を含む正面図である。
【図１３】（Ａ）と（Ｂ）は中空柱構造の部分変更例を説明するための部分断面図である。
【図１４】中空柱構造の他の実施の形態を説明するための部分断面を含む側面図である。
【図１５】図１４のＴ１−Ｔ１線に沿う拡大断面図である。
【図１６】図１４のＴ２−Ｔ２線に沿う拡大断面図である。
【符号の説明】
【００５０】
１    建造物、木造住宅
１０    基礎
１１    建物躯体
１２    二階床構造物
２０    中空柱構造
２１    側壁
２１ａ    内鋼板
２１ｂ    外鋼板
２１ｄ    液状流体、水
２２    通路
２３    出入口
２４    梯子
２５    扉
２５ａ    網戸式扉
２６    シャッター付換気口
３０    蓋
３５    換気ファン
４１    蓋
４２    重量物
ｎ    床下空間
【図１】
2004300910.tif 000003
【図２】
2004300910.tif 000004
【図３】
2004300910.tif 000005
【図４】
2004300910.tif 000006
【図５】
2004300910.tif 000007
【図６】
2004300910.tif 000008
【図７】
2004300910.tif 000009
【図８】
2004300910.tif 000010
【図９】
2004300910.tif 000011
【図１０】
2004300910.tif 000012
【図１１】
2004300910.tif 000013
【図１２】
2004300910.tif 000014
【図１３】
2004300910.tif 000015
【図１４】
2004300910.tif 000016
【図１５】
2004300910.tif 000017
【図１６】
2004300910.tif 000018